(57)【要約】【課題】  狭いスペース内に配置できるとともに、手動リセット状態と自動リセット状態とを容易に判定できるサーマルリレーを提供する。【解決手段】  サーマルリレー１は、バイメタル１０の変位に応じて揺動する可動板６１と、可動板６１の揺動に応じて伸縮し、可動板６１を接点の開閉状態が異なった第１の状態及び第２の状態とに保持するバネ６１を有する。このバネ６１は、第１の状態から第２の状態への移行時に付勢力が最大となる死点を通過する。さらに、手動復帰状態と自動復帰状態との切換、及び、第２の状態から第１の状態への復帰を行うリセット部材８０を備える。リセット部材８０は、手動復帰状態から自動復帰状態への切換時に、可動板６１の揺動範囲がバネ６１の死点に対応する位置を通過しないよう、板バネ４５を可動板６１側に繰り出す。【選択図】図２
2010009762.tif 000002
【特許請求の範囲】
【請求項１】
昇温時に湾曲するバイメタルと、
主回路電流によって発熱し前記バイメタルを加熱する加熱手段と、
前記複数のバイメタルの湾曲変位に応じて接点の開閉を切り換えるとともに、前記接点の開閉状態が異なった第１の状態及び第２の状態を有する接点切換機構と、
前記接点切換機構を前記第１の状態又は第２の状態に保持する保持手段と、
前記接点切換機構を前記第１の状態から前記第２の状態への移行が許可される手動復帰状態と前記移行が阻止される自動復帰状態との切換、及び、前記第２の状態から前記第１の状態への復帰を行うリセット部材と、
を備えるサーマルリレーであって、
前記リセット部材は、第１の方向への移動により前記第２の状態から前記第１の状態への復帰を行うとともに、前記第１の方向と異なった第２の方向への移動により前記手動復帰状態と前記自動復帰状態との切換を行うことを特徴とするサーマルリレー。
【請求項２】
前記リセット部材の前記第１の方向への移動は、ケースへ押し込まれる方向の直進移動であり、前記第２の方向への移動は、前記第１の方向とほぼ直交する方向への直進移動であることを特徴とする請求項１に記載のサーマルリレー。
【請求項３】
前記ケースは、前記自動復帰状態であるときに前記リセット部材の突端部をカバーするカバー部を備えることを特徴とする請求項２に記載のサーマルリレー。
【請求項４】
前記接点切換機構は、前記バイメタルの変位を前記接点に伝達するとともに、前記バイメタルの変位に応じて揺動する揺動部材を有し、
前記保持手段は、前記揺動部材の揺動に応じて伸縮し、前記第１の状態から前記第２の状態への移行時に付勢力が最大となる死点を通過するバネ要素を有し、
前記リセット部材は、前記手動復帰状態から前記自動復帰状態への切換時に、前記揺動部材の揺動範囲が前記バネ要素の前記死点に対応する位置を通過しないよう規制する規制部材を前記揺動部材側へ繰り出すことを特徴とする請求項１から請求項３のいずれか１項に記載のサーマルリレー。
【発明の詳細な説明】
【技術分野】
【０００１】
本発明は、昇温によるバイメタルの湾曲変位を利用して接点機構を動作させるサーマルリレー（熱動形過負荷継電器）に関し、特には、接点を手動復帰状態と自動復帰状態とに切り換えるとともに手動復帰状態でのリセット動作を行うリセット機構に関する。
【背景技術】
【０００２】
サーマルリレーは、バイメタルの湾曲変位に応じて作動する接点切換機構により、常開接点と常閉接点の開閉を切り換えるものである。サーマルリレーには、この接点切換機構により各接点が切り換わった後で初期状態に復帰させる（リセットする）ために、リセット部材が備えられている。リセット方式には、リセット部材を手動操作して各接点を初期状態に復帰させる手動リセット方式と、リセット部材を自動的に初期状態に復帰させる自動リセット方式がある。
【０００３】
このようなリセット部材として、押し込みにより手動リセット状態をとり、押し込んだ後で回転させて自動リセット状態をとる、円柱状の押し回しタイプのリセット棒が提案されている（例えば、特許文献１、特許文献２参照）。特許文献１に記載されているリセット棒は、手動リセット状態から自動リセット状態への不測の切換を防止する爪を備える。自動リセット状態へ切換る場合は、この爪を折り取る。また、特許文献２に記載されているリセット棒には、リセット棒の押し回し時に抵抗を与える手段が設けられている。手動リセット状態から自動リセット状態、あるいはその逆へ切り換える際に、この抵抗手段に抗する手応えを生じさせることで、誤った切換を防止する。さらに、リセット棒の頭部に、手動リセット状態と自動リセット状態とを示すダイヤル状の指針部が設けられている。
【特許文献１】特開２００２−１７０４７１号公報
【特許文献２】特開２００２−２３７２４６号公報
【０００４】
特許文献１、２に開示されたサーマルリレーにおいては、棒状の部材及びその外周面から張り出した突起部を、サーマルリレーのケース内で回転させるスペースが必要であることから、ケースのサイズが大型化する原因となっていた。また、押し回しタイプの場合は、目視によってリセット棒が手動復帰状態にあるか自動復帰状態にあるかの判定がしにくいという問題がある。特許文献２に記載されたサーマルリレーでは、リセット棒の頭部に各状態を示す指針部が設けられているが、指針部の方向をその都度確認する必要がある。
さらに、特許文献１に記載されたサーマルリレーでは、折り取られた爪の処理が必要になる。
【発明の開示】
【発明が解決しようとする課題】
【０００５】
本発明は、上述した問題に鑑みなされたものであって、狭いスペース内に配置できるとともに、手動リセット状態と自動リセット状態とを容易に判定できるサーマルリレーを提供することを目的とする。
【課題を解決するための手段】
【０００６】
本発明のサーマルリレーは、  昇温時に湾曲するバイメタルと、  主回路電流によって発熱し前記バイメタルを加熱する加熱手段と、  前記複数のバイメタルの湾曲変位に応じて接点の開閉を切り換えるとともに、前記接点の開閉状態が異なった第１の状態及び第２の状態を有する接点切換機構と、  前記接点切換機構を前記第１の状態又は第２の状態に保持する保持手段と、  前記接点切換機構を前記第１の状態から前記第２の状態への移行が許可される手動復帰状態と前記移行が阻止される自動復帰状態との切換、及び、前記第２の状態から前記第１の状態への復帰を行うリセット部材と、を備えるサーマルリレーであって、  前記リセット部材は、第１の方向への移動により前記第２の状態から前記第１の状態への復帰を行うとともに、前記第１の方向と異なった第２の方向への移動により前記手動復帰状態と前記自動復帰状態との切換を行うことを特徴とする。
【０００７】
本発明によれば、第２の状態から第１の状態への移行を行う場合（手動復帰の場合）のリセット部材の移動方向と、この移行を阻止する場合（自動復帰の場合）のリセット部材の移動方向が異なる。つまり、手動復帰状態におけるリセット部材の位置と、自動復帰状態におけるリセット部材の位置とが異なる。これに対して、例えば、前述の従来例で説明した押し回しタイプの円柱状リセット部材の場合、手動復帰状態と自動復帰状態とでリセット部材の方向は異なるが、その位置（姿勢）はほとんど変わらない。したがって、本発明によれば、リセット部材の位置を確認することにより、接点が手動復帰状態にあるか自動復帰状態にあるかの判定が容易になる。
また、本発明によれば、押し回しタイプの円柱状リセット部材のように、その周方向にわたって突起等が回転するスペースを確保する必要がないことから、リセット機構を比較的狭いスペースに収容することができ、サーマルリレーの構造をコンパクトにすることができる。
【０００８】
本発明においては、  前記リセット部材の前記第１の方向への移動は、ケースへ押し込まれる方向の直進移動であり、前記第２の方向への移動は、前記第１の方向とほぼ直交する方向への直進移動であることが好ましい。
【０００９】
リセット部材の移動方向を直進方向とすることにより、狭いスペース内でリセット部材を移動できる。例えば、リセット部材の移動方向を、ケースの側板の内面に沿った、ケースの上下方向（高さ方向）と前後方向の移動とすれば、ケース内の空きスペースを有効に利用できる。
【００１０】
さらに、本発明においては、  前記ケースは、前記自動復帰状態であるときに前記リセット部材の突端部をカバーするカバー部を備えることが好ましい。
【００１１】
自動復帰状態と手動復帰状態とでリセット部材の位置を異ならせるとともに、リセット部材の突端部をカバー部で覆うことにより、さらに、各状態でのリセット部材の姿勢の違いを明確にできる。したがって、一目で自動復帰状態であることを判定できる。
【００１２】
本発明のサーマルリレーの具体的な態様は、  前記接点切換機構は、前記バイメタルの変位を前記接点に伝達するとともに、前記バイメタルの変位に応じて揺動する揺動部材を有し、  前記保持手段は、前記揺動部材の揺動に応じて伸縮し、前記第１の状態から前記第２の状態への移行時に付勢力が最大となる死点を通過するバネ要素を有し、  前記リセット部材は、前記手動復帰状態から前記自動復帰状態への切換時に、前記揺動部材の揺動範囲が前記バネ要素の前記死点に対応する位置を通過しないよう規制する規制部材を前記揺動部材側へ繰り出すこととできる。
【発明の効果】
【００１３】
以上のように、本発明によれば、手動復帰状態と自動復帰状態とでリセット部材の位置が異なる。さらに、自動復帰状態においては、リセット部材の突端部がカバーで覆われているので、各状態においてリセット部材の位置のみでなく、リセット部材の姿勢が異なっている。したがって、どちらの状態にあるかを容易に判定できる。また、リセット部材の移動方向をケース側板の内面に沿った上下方向及び前後方向としたので、ケース内の狭いスペースを利用してリセット部材を移動させることができ、サーマルリレーのケースを小型化することができる。
【発明を実施するための最良の形態】
【００１４】
以下、本発明を適用したサーマルリレーの実施形態について、図面等を参照しつつ説明する。なお、以下の説明で上下方向、左右方向等の説明は、全て図中における姿勢・位置を基準としており、実際にサーマルリレーが利用される際の方向とは関係ない。
図１は、本実施形態のサーマルリレー（初期状態時）の主要部構造を示す正面図である。
図２は、リセット時の図１のサーマルリレーの主要部構造を示す正面図である。なお、図１、図２は、サーマルリレーのケースの裏面カバーを外したものである。また、図２は、接点切換機構をわかりやすく示すために、一部の部品（リンク組立、温度補償バイメタル）が省かれている。
図３は、常開接点が取り付けられている板バネの構造を説明する正面図であり、図３（Ａ）は初期状態、図３（Ｂ）はリセット状態を示す。
サーマルリレー１は、ケース３内に収容された、昇温時に湾曲する複数のバイメタル１０と、各バイメタル１０を加熱するヒータ２０（加熱手段）を有する。さらに、常開接点４０及び常閉接点５０、各接点の開閉を昇温によるバイメタル１０の湾曲変位に応じて切り換える接点切換機構６０、各接点を開状態又は閉状態に保持するコイルバネ（保持手段）７０を備える。さらには、接点切換機構６０を切換前の状態にリセットするリセット部材８０を備える。なお、常開接点４０が開き、常閉接点５０が閉じている状態を第１の状態（初期状態ともいう）とし、常開接点４０が閉じ、常閉接点５０が開いている状態を第２の状態という。
【００１５】
バイメタル１０は、熱膨張率の異なった１対の金属板を層状に接合した帯板状の部材であり、通常、三相交流のＵ、Ｖ、Ｗの各相に対応する３本の主バイメタル１０Ｕ、１０Ｖ、１０Ｗからなる。各主バイメタル１０には、ヒータ２０Ｕ、２０Ｖ、２０Ｗが巻き付けられている。各ヒータ２０は通流された電流の大きさに応じて発熱し、各相の主バイメタル１０を加熱する。
【００１６】
各主バイメタル１０の一方の端部（図の上端）はケース内固定物２に固定されており、他方の端部（下端）には、シフタ１１が係合している。主バイメタル１０は、ヒータ２０で加熱されて昇温すると、図の右方向に変位し、この変位に伴ってシフタ１１が図の右方向に移動する。
【００１７】
シフタ１１の移動方向前方には、図１に示すように、温度補償バイメタル１３が配置されている。補償バイメタル１３はリンク組み立て１５に接合されている。リンク組み立て１５は、サーマルリレーが動作する電流を調整する調整ダイヤル１７と連動するもので、下端部のＣ字状の保持部１５ａと、保持部１５ａから上方に延びるリンク軸１５ｂとを有する。保持部１５ａは、ケース内固定部２のケース軸に回動自在に取り付けられたロッド１９に回転自在に保持されている。補償バイメタル１３は、上端がリンク組み立て１５の保持部１５ａに接合されており、下端部はシフタ１１の移動方向前方に位置している。リンク軸１５ｂの上端は調整ダイヤル１７のカムに接触している。
【００１８】
主バイメタル１０の湾曲変位量が所定の値を超えると、シフタ１１を介して補償バイメタル１３が図の右方向に移動し、それにともなってロッド１９が右方向に移動する。
【００１９】
図２を参照して接点切換機構を説明する。
接点切換機構６０はこのロッド１９の移動によって各接点を第１の状態と第２の状態とに切換えるもので、可動板（揺動部材）６１と、トリップレバー６３とを有する。可動板６１は板状の部材であり、一方の端部がケース内固定部２に揺動可能に支持されている。トリップレバー６３は、ほぼ直角をなす第１アーム部６３ａと第２アーム部６３ｂとを有するＬ字状の部材である。同レバー６３は、中心（第１アーム部６３ａと第２アーム部６３ｂとの交点）でケース内固定部２に回動可能に支持されている。可動板６１の自由端は、トリップレバー６３の第１アーム部６３ａの先端の溝に係合している。これにより、可動板６１が図の時計方向に揺動すると、トリップレバー６１は支点を中心として図の反時計方向に回動する。
【００２０】
常開接点４０は、対向する可動接点４１と固定接点４２とを有する。可動接点４１は、可動板６１の長さ方向ほぼ中央部に取り付けられている。一方、固定接点４２は、板バネ４５に取り付けられている。詳しくは図３に示すように、板バネ４５の先端は段状に折られた段部４５ａが形成されている。板バネ４５は、バネ本体の裏面とケース側板４の内面にスペースが開き、段部４５ａが側板４の内面に接するように、片持ち式に支持されている。図１、図２（図３（Ａ））に示す初期状態においては、可動接点４１と固定接点４２とは離間している。
【００２１】
常閉接点５０は、対向する可動接点５１と固定接点５２とを有する。図２に示すように、可動接点５１は、片持ち式に支持された板バネ５３のほぼ中央部に取り付けられている。板バネ５３の先端は、トリップレバー６３の第２アーム部６３ｂの先端の、回転方向の前方に位置している。固定接点５２は、可動接点５１と対向する位置に固定されている。図１、図２に示す初期状態においては、可動接点５１と固定接点５２とは接触している。
【００２２】
引っ張りバネ７０は、ロッド１９（図２には図示されず）の移動方向前方に配置されており、一端が可動板６１の長さ方向ほぼ中央部に固定され、もう一方の端部が、ケース内固定部２に固定されている。この引っ張りバネ７０は、可動板６１を図の反時計方向に揺動させるように付勢して、各接点４０、５０を第１の状態に維持している。
【００２３】
次に、図４を参照して手動復帰状態における接点切換機構の動作を説明する。
図４（Ａ）は、第１の状態におけるサーマルリレーの主要部の構造を示す正面図であり、図４（Ｂ）は第２の状態におけるサーマルリレーの主要部の構造を示す正面図である。これらの図においては、リセット部材が省かれている。
主回路電流が増大してバイメタル１０が昇温されると、シフタ１１を介して補償バイメタル１３（図４には図示されず）が図の右方向に移動し、それに伴ってロッド１９（図４には図示されず）が右方向に移動して、引っ張りバネ７０を右方向に押す。すると、引っ張りバネ７０が図の時計方向に回動し始め、この回動に伴って可動板６１はバネ７０の力に抗して図の時計方向に揺動し始める。そして、バネ７０の付勢力が最大となり、可動板６１を付勢する方向が反時計方向から時計方向に変わる死点を越えると、可動板６１は、バネ７０の付勢力によって急速に図の時計方向に揺動する。これにより、図４（Ｂ）に示すように、可動板６１に取り付けられた、常開接点４０の可動接点４１が、板バネ４５に取り付けられた固定接点４２に接する。
【００２４】
そして、可動板６１の先端は、係合しているトリップレバー６３の第１アーム部６３ａを押し、トリップレバー６３が図の反時計方向に回動する。すると、トリップレバー６３の第２アーム部６３ｂが、常閉接点５０の可動接点５１が取り付けられている板バネ５３の先端を押し、常閉接点５０の可動接点５１が固定接点５２から離間する。つまり、常開接点４０が閉じ、常閉接点５０が開いた第２の状態となる。
【００２５】
次に、リセット部材８０を説明する。
図５は、リセット部材が取り付けられている部分の構造を示す分解斜視図である。
図６は、初期状態（第１の状態）におけるサーマルリレーの主要部の構造を示す斜視図である。
図７は、初期状態（第１の状態）におけるリセット部材の位置を示す斜視図である。
リセット部材８０は、各接点４０、５０を、第２の状態から第１の状態へ戻すリセット操作を行うためのものである。つまり、常開接点４０の固定接点４１が取り付けられている板バネ４５を押して、可動板６１を死点を超える位置まで揺動させる。可動板６１は、死点を超える位置まで揺動すると、バネ７０の付勢力によって初期位置まで揺動する。
【００２６】
図５に示すように、リセット部材８０は、ケース３の上下方向にほぼ沿って延びた板状の部材で、上から順に、水平な突端部８１、ねじりコイルバネ８５が収容される中央部８２、中央部８２から垂下する垂直部８３、垂直部８３の下端から同部と直交する方向（前後方向）に延びる規制部８４と、を有する。リセット部材８０は、ケース３の側板４の内面に沿って、上下方向かつ前後方向にスライド可能に取り付けられている。リセット部材８０は、例えば樹脂材料をインジェクション成型することによって一体に形成されている。
【００２７】
突端部８１は、図６や図７に示すように、ケースの天板５に形成された、前後方向に延びるスリット５ａの前端から突き出ている。スリット５ａの後部には、上端部を覆うカバー７が設けられている。
中央部８２には、上面、一方の側面及び背面が囲まれた、ねじりコイルバネ８５が収容される空間が形成されている。背面にはねじりコイルバネ８５の巻線部が保持される軸８２ａが突設されている。ねじりコイルバネ８５は、巻線部が軸８２ａに保持されて、一方のアーム部がケース内の固定部２に当たっており、他方のアーム部が中央部８２の上面に当たっている。このねじりコイルバネ８５により、中央部８２の上面が固定部２に対して上方に付勢され、リセット部材８０が上方に付勢されて、突端部８１が天板５から突き出している。
規制部８４は、垂直部８３よりも肉厚の部位であり、前面の下部は、下方に向かって先細に傾斜したテーパ面８４ａとなっている。
【００２８】
図６、図７に示すように、初期位置においては、ねじりコイルバネ８５によりリセット部材８０が上方に付勢されて、突端部８１が、スリット５ａの前端から突き出ている。また、図３（Ａ）や図７に示すように、垂直部８３はケース側板４の内面に接しており、規制部８４は、常開接点４０の固定接点４２が取り付けられている板バネ４５の本体の裏面と、ケース側板４の内面間の空間に入り込んでいる。
【００２９】
以下、手動復帰状態におけるリセット操作、及び、手動復帰状態と自動復帰状態とを切り換える際のリセット部材８０の動作を説明する。
図８は、リセット部材が押された状態を示す正面図である。
図９は、リセット部材が押された状態におけるリセット部材の位置を示す斜視図である。
図６、図７に示した状態から、ユーザがねじりコイルバネ８５の付勢力に抗して突端部８１を下方（第１の方向）に押すと、リセット部材８０は下方にスライドし、規制部８４が、板バネ４５の本体の裏面と、ケース側板４の内壁間の空間から下方に移動する。これにより、図３（Ｂ）に分かりやすく示すように、規制部８４のテーパ部８４ａが板バネ４５の段部４５ａの裏面に潜り込み、規制部８４の前面に段部４５ａが乗り上げ、板バネ４５が図の時計方向に回動する。板バネ４５と可動板６１は固定接点４２と可動接点４１を介して接しているので、板バネ４５が回動すると、可動板６１が板バネ４５で押されて、図８に示すように、反時計方向に揺動し始める。なお、規制部８４の厚さは、板バネ４５の揺動角度が、可動板６１を死点から初期位置までの間に揺動させる角度となるように設定されている。つまり、可動板６１は死点を越えて、バネ７０で付勢されて初期位置に戻る（リセットされる）。これにより、図８に示すように、常開接点４０の可動接点４１が固定接点４２から離れる。さらに、可動板６１の回転によってトリップレバー６３が図の時計方向に回動して、板バネ５３の押圧力が解除され、常閉接点５０の可動接点５１が固定接点５２に接触する。つまり、第１の状態に戻る。
【００３０】
次に、自動復帰状態を説明する。
図１０は、自動復帰状態におけるリセット部材の位置を示す斜視図である。
第１の状態に戻った後、リセット部材８０の突端部８１を押したままスリット５ａ内を後方（第２の方向）へスライドさせる。リセット部材８０の規制部８４はある程度の幅を有しているので、リセット部材８０をスライドさせても、規制部８４の前面に板バネ４５の段部４５ａが乗り上げている状態が維持されている。また、リセット部材８０を後方へスライドさせると、やがて突端部８１が、ケース天板５に設けたカバー７に係合する。これにより、リセット部材８０は上方への移動が規制され、押されたままの状態に維持される。また、リセット部材８０の中央部８２が、ケース内固定部２の凹部に入り込み、これによっても、リセット部材８０の上方への移動が規制される。この状態は、図８（図３（Ｂ）で示す、板バネ４５の段部４５ａがリセット部材８０の規制部８４に乗り上げて、板バネ４５を図の時計方向に揺動させた位置に保持している状態である。この状態において、可動板６１が図の時計方向に揺動し始めると、揺動途中で同板６１は板バネ４５に当たってバネ７０で付勢されて初期状態に戻る（自動リセットされる）。
また、リセット部材８０の突端部８１がカバー７に隠れた状態であるので、一目で自動リセット状態であることを判定できる。
【００３１】
（他の実施の形態）
なお、本発明は上記した実施形態のみに限定されるものではなく、種々の応用や変形が考えられる。例えば、サーマルリレーの構造や各構成部品の形状、材質等は、上述した実施形態のものに限定されず、適宜変更することができる。
例えば、上述した実施形態では、リセット部材を上方に付勢するためにねじりコイルバネを使用したが、コイルスプリングを使用してもよい。
図１１は、コイルスプリングを使用したリセット部材を備えたサーマルリレーの主要部の構造を示す斜視図である。
この例のリセット部材８０の中央部８２には、ねじりコイルバネの巻線部が保持される軸が設けられておらず、中央部８２にコイルスプリング８６を高さ方向に支持する隔壁が設けられている。コイルスプリング８６は、中央部８２の隔壁と側面との間に収容されて、固定部２に対して上面を上方に付勢している。これによりリセット部材８０が上方に付勢されている。
【図面の簡単な説明】
【００３２】
【図１】本実施形態のサーマルリレー（初期状態時）の主要部構造を示す正面図である。
【図２】リセット時の図１のサーマルリレーの主要部構造を示す正面図である。
【図３】常開接点が取り付けられている板バネの構造を説明する正面図であり、図３（Ａ）は初期状態、図３（Ｂ）はリセット状態を示す。
【図４】図４（Ａ）は、第１の状態におけるサーマルリレーの主要部の構造を示す正面図であり、図４（Ｂ）は第２の状態におけるサーマルリレーの主要部の構造を示す正面図である。
【図５】リセット部材が取り付けられている部分の構造を示す分解斜視図である。
【図６】初期状態（第１の状態）におけるサーマルリレーの主要部の構造を示す斜視図である。
【図７】初期状態（第１の状態）におけるリセット部材の位置を示す斜視図である。
【図８】リセット部材が押された状態を示す正面図である。
【図９】リセット部材が押された状態におけるリセット部材の位置を示す斜視図である。
【図１０】自動復帰状態におけるリセット部材の位置を示す斜視図である。
【図１１】コイルスプリングを使用したリセット部材を備えたサーマルリレーの主要部の構造を示す斜視図である。
【符号の説明】
【００３３】
１  サーマルリレー                      ２  ケース内固定部
３  ケース                              ４  ケース側板
５  ケース天板                          ７  カバー
１０  バイメタル                        １１  シフター
１３  温度補償バイメタル                １５  リンク組立
１７  調整ダイヤル                      １９  ロッド
２０  ヒータ                            ４０  常開接点
４１  可動接点                          ４２  固定接点
４５  板バネ                            ５０  常閉接点
５１  可動接点                          ５２  固定接点
５３  板バネ                            ６０  接点切換機構
６１  可動板                            ６３  トリップレバー
７０  バネ
８０  リセット部材                      ８１  突端部
８２  中央部                            ８３  垂直部
８４  規制部                            ８５  ねじりコイルばね
８６  コイルスプリング
【図１】
2010009762.tif 000003
【図２】
2010009762.tif 000004
【図３】
2010009762.tif 000005
【図４】
2010009762.tif 000006
【図５】
2010009762.tif 000007
【図６】
2010009762.tif 000008
【図７】
2010009762.tif 000009
【図８】
2010009762.tif 000010
【図９】
2010009762.tif 000011
【図１０】
2010009762.tif 000012
【図１１】
2010009762.tif 000013